(57)【要約】【課題】箱体の中に凹部を有した受け部を設けるタイプの青果用包装容器で、桃、マンゴー等のように表面に圧力が加わると傷みやすい青果を収納するのに適し、特に、被収納物としての青果が傷みにくく、別部材を必要とせず落下を防止でき、青果の表面に均等に圧力が掛かり、かつ、深さのある収納凹部を形成できる青果用包装容器を提供する。【解決手段】青果用包装容器５は、本体部１０と、青果受け部３０とを有し、青果受け部３０は、上面部３０Ａと支持部３０Ｂとを有し、上面部３０Ａは、平行に形成された複数の切込みにより形成された複数の帯状部により形成された凹部４１を有している。複数の切込みの両側の端部は円弧状又は楕円弧状に配設され、これにより、青果受け部の上端が側面視において円弧状又は楕円弧状に凹状に形成されている。【選択図】図２
0003147045.tif 000002
【実用新案登録請求の範囲】
【請求項１】
青果を収納するための青果用包装容器であって、
長方形状の底部と、底部の各辺から折れ線を介して立設した側壁部で、底部の長辺の一方から連設した第１側壁部と、底部の長辺の他方から連設した第２側壁部と、底部の短辺の一方から連設した第３側壁部と、底部の短辺の他方から連設した第４側壁部とを有し、上方が開口した容器状を呈する本体部と、
本体部に収納された青果受け部で、シート状のライナーの一方の面に断面略波形形状の中芯が設けられた片面段ボールを中芯が設けられた側を外側にして筒状に巻回して形成してなり、複数の直線状の切込みを互いに平行に形成してなる切込み群で、切込みの長さが複数の切込みの配設方向における略中央から外側にいくに従い短く形成され、複数の切込みの両側の端部が円弧状又は楕円弧状に配設された切込み群が形成され、切込み群が形成されている領域を窪ませることにより凹部が形成された青果受け部と、
を有することを特徴とする青果用包装容器。
【請求項２】
上記青果受け部における切込み群を形成する各切込みは、青果受け部を筒状に巻回する際の巻回方向に形成されていることを特徴とする請求項１に記載の青果用包装容器。
【考案の詳細な説明】
【技術分野】
【０００１】
本考案は、青果用包装容器に関するものであり、特に、桃、マンゴー等のように表面に圧力が加わると傷みやすい青果（「青果物」としてもよい。以下においても同じ）を包装する包装容器に関するものである。
【背景技術】
【０００２】
従来より青果用包装容器において箱体の中に凹部を有した受け部を設けるタイプのものとしては、特許文献１に示すように、段ボール製の仕切り材にメロン保持位置を定める保持凹部が形成されたものが存在する。この保持凹部は、１２角形の輪郭に沿った折り目と、折り目の各角部から内側に伸びる切り込みにより形成されたものである。
【０００３】
また、特許文献２に示す青果物緩衝用紙製トレイのように、青果を受ける受け凹部が、放射状に形成された複数のスリットにより分割された複数の舌片を配置した凹部形成領域に紙製の受け底板が重ね合わされて形成されたものが存在する。また、出願人は、特許文献３の青果用包装容器について知得している。
【特許文献１】特開平９−１２０７２号公報
【特許文献２】特開２００３−２６１１８１号公報
【特許文献３】実用新案登録第３１４４９８９号公報
【考案の開示】
【考案が解決しようとする課題】
【０００４】
しかし、上記特許文献１、特許文献２においても、収納される青果に対する緩衝性が十分とはいえず、特に、桃、マンゴー等のように表面に圧力が加わると傷みやすい青果を収納するには十分ではなかった。
【０００５】
すなわち、特許文献１の果物包装用箱における仕切り材は三層構造の段ボールにより形成されているので、仕切り材の表面は平面状に形成されていることから、青果を保持凹部の位置に落下させる等衝撃が加えられると青果の表面が傷むおそれがある。
【０００６】
同様に、特許文献２に記載の青果物緩衝用紙製トレイにおいても、トレイの材質として板紙や段ボールが採用できるとあるので、トレイの上面は平面状に形成されていることから、青果を受け凹部の位置に落下させる等衝撃が加えられると青果の表面が傷むおそれがある。
【０００７】
また、特許文献１においては、保持凹部は、１２角形の輪郭に沿った折り目と、折り目の各角部から内側に伸びる切り込みにより形成されているので、保持凹部の中心位置に穴部が形成され、小さな被収納物を収納する場合（特に、１２角形の輪郭に沿った折り目に囲まれた面積よりも小さい面積の被収納物の場合）には、切り込み片が必要以上に折れ曲がってしまうと、被収納物が落下してしまうおそれがある。また、特許文献２の場合には、舌片の下側に受け底板が設けられるので、被収納物が落下するおそれがないが、受け底板という別部材が必要になってしまう。
【０００８】
また、特許文献１においては、被収納物を保持凹部内に収納した状態では、保持凹部内においては、切り込み片のみが被収納物に接することから被収納物に均等に圧力が掛からず、被収納物が青果の場合には切り込み片が接した表面領域のみが傷む可能性がある。また、特許文献２の場合には、受け底板が設けられていることにより、被収納物を受け凹部内に収納した状態では、受け凹部内においては、被収納物にほぼ均等に圧力が掛かるが、別途受け底板という部材が必要になってしまう。
【０００９】
また、特許文献１においては、保持凹部は、１２角形の輪郭に沿った折り目と、折り目の各角部から内側に伸びる切り込みにより形成されているので、深い凹部を形成しようとすると、切り込み片を深く折り曲げる必要があり、被収納物の落下の危険が大きくなることから、深さのある凹部を形成できず、そうすると、被収納物は保持凹部に浅く収納されるのみとなり、被収納物が保持凹部から脱落する危険がある。特許文献２の場合には、受け底板があることにより深さのある凹部を形成することは可能であるが、別途受け底板という部材が必要になってしまう。
【００１０】
なお、特許文献３に記載の青果用包装容器は、箱体の中に凹部を有した受け部を設けるタイプのものではなく、また、必ずしも青果の表面に均等に圧力が掛かるとはいえない。
【００１１】
そこで、本考案は、箱体の中に凹部を有した受け部を設けるタイプの青果用包装容器で、桃、マンゴー等のように表面に圧力が加わると傷みやすい青果を収納するのに適し、特に、被収納物としての青果が傷みにくく、別部材を必要とせず落下を防止でき、青果の表面に均等に圧力が掛かり、かつ、深さのある収納凹部を形成できる青果用包装容器を提供することを目的とするものである。
【課題を解決するための手段】
【００１２】
本考案は上記問題点を解決するために創作されたものであって、第１には、青果を収納するための青果用包装容器（単に「包装箱」としてもよい。他においても同じ）であって、長方形状の底部と、底部の各辺から折れ線を介して立設した側壁部で、底部の長辺の一方から連設した第１側壁部と、底部の長辺の他方から連設した第２側壁部と、底部の短辺の一方から連設した第３側壁部と、底部の短辺の他方から連設した第４側壁部とを有し、上方が開口した容器状を呈する本体部と、本体部に収納された青果受け部で、シート状のライナーの一方の面に断面略波形形状の中芯が設けられた片面段ボールを中芯が設けられた側を外側にして筒状に巻回して形成してなり、複数の直線状の切込みを互いに平行に形成してなる切込み群で、切込みの長さが複数の切込みの配設方向における略中央から外側にいくに従い短く形成され、複数の切込みの両側の端部が円弧状又は楕円弧状に配設された切込み群が形成され、切込み群が形成されている領域を窪ませることにより凹部が形成された青果受け部と、を有することを特徴とする。
【００１３】
上記第１の構成の青果用包装容器においては、切込み群の領域に形成された凹部に青果を収納して使用する。
【００１４】
青果用包装容器によれば、青果受け部が片面段ボール材により形成されていて、凹部を含む青果受け部の外側の面には中芯が露出しているので、この中芯がクッションの役割を果たし、青果を傷みにくくすることができる。また、凹部には、複数の切込みにより複数の帯状部が形成され、この帯状部が下方に垂れ下がって形成されるので、青果が凹部から落下することがなく、特に、凹部の上端の輪郭に囲まれた面積よりも小さい面積の青果を収納した場合でも落下することがない。また、青果は、凹部内においては複数の帯状部に万遍なく接するので、青果の表面に均等に圧力が掛かり、青果の表面の一部のみが傷むことがない。また、複数の切込みの両側の端部が円弧状又は楕円弧状に配設されることにより、青果受け部の上端が側面視において円弧状又は楕円弧状に凹状に形成され、中央の帯状部の下端位置は、両端の帯状部の下端位置よりもかなり下方位置となり、凹部を深さの大きい凹部とすることができ、よって、青果を深く収納することができ、凹部から脱落する危険が少ない。さらに、上記の効果を得るために凹部に別途の部材を必要としないので、製造コストを抑えることができる。
【００１５】
また、第２には、上記第１の構成において、上記青果受け部における切込み群を形成する各切込みは、青果受け部を筒状に巻回する際の巻回方向に形成されていることを特徴とする。
【考案の効果】
【００１６】
本考案に基づく青果用包装容器によれば、青果受け部が片面段ボール材により形成されていて、凹部を含む青果受け部の外側の面には中芯が露出しているので、この中芯がクッションの役割を果たし、青果を傷みにくくすることができる。また、凹部には、複数の切込みにより複数の帯状部が形成され、この帯状部が下方に垂れ下がって形成されるので、青果が凹部から落下することがなく、特に、凹部の上端の輪郭に囲まれた面積よりも小さい面積の青果を収納した場合でも落下することがない。また、青果は、凹部内においては複数の帯状部に万遍なく接するので、青果の表面に均等に圧力が掛かり、青果の表面の一部のみが傷むことがない。また、複数の切込みの両側の端部が円弧状又は楕円弧状に配設されることにより、青果受け部の上端が円弧状又は楕円弧状に凹状に形成され、中央の帯状部の下端位置は、両端の帯状部の下端位置よりもかなり下方位置となり、凹部を深さの大きい凹部とすることができ、よって、青果を深く収納することができ、凹部から脱落する危険が少ない。さらに、上記の効果を得るために凹部に別途の部材を必要としないので、製造コストを抑えることができる。
【考案を実施するための最良の形態】
【００１７】
本考案においては、箱体の中に凹部を有した受け部を設けるタイプの青果用包装容器で、桃、マンゴー等のように表面に圧力が加わると傷みやすい青果を収納するのに適し、特に、被収納物としての青果が傷みにくく、別部材を必要とせず落下を防止でき、青果の表面に均等に圧力が掛かる青果用包装容器を提供するという目的を以下のようにして実現した。
【実施例１】
【００１８】
本考案に基づく青果用包装容器５は、図１〜図６に示されるように構成され、本体部１０と、青果受け部３０とを有している。この青果用包装容器５における本体部１０と青果受け部３０とは、それぞれ１枚のシート状のブランクにより形成されている。本体部１０を構成するブランクは、紙材（例えば、両面段ボール材又は板紙材）であり、青果受け部３０を構成するブランクは、図７に示すように、シート状（平板板状）の板紙からなるライナーＡと、ライナーＡの一方の面に接着され、断面略波形形状の中芯Ｂとを有するいわば片面段ボールであり、ライナーＡと中芯Ｂは紙製である。なお、中芯Ｂを不織布製としてもよい。つまり、青果受け部３０は、片面にシート状の紙材を略波形形状に形成してなる中芯が露出して形成された１枚のシート状のブランクにより形成されている。なお、図６、図９に示す展開図においては、ライナーＡ側が表れているものとして記載されている。
【００１９】
なお、図面において、Ｙ１−Ｙ２方向は、Ｘ１−Ｘ２方向に直角な方向であり、Ｚ１−Ｚ２方向は、Ｘ１−Ｘ２方向及びＹ１−Ｙ２方向に直角な方向である。
【００２０】
ここで、本体部１０は、上部が開口した容器状を呈する箱体であり、方形状の底部１２と、底部１２の正面側（Ｙ１側）の辺部（図５では下側の辺部）から折れ線を介して連設された側面部（第１側壁部）１４と、側面部１４の両側から折れ線を介して突出したフラップ部１６、１８と、底部１２の背面側（Ｙ２側）の辺部（図５では上側の辺部）から折れ線を介して連設された側面部（第２側壁部）２０と、側面部２０の両側から折れ線を介して突出したフラップ部２２、２４と、底部１２の右側面側（Ｘ１側）の辺部から折れ線を介して連設された側面部（第３側壁部）２６と、底部１２の左側面側（Ｘ２側）の辺部から折れ線を介して連設された側面部（第４側壁部）２８とを有している。
【００２１】
側面部１４、２０、２６、２８は、上側にいくほど幅広となる台形形状をなし、側面部１４と側面部２０とは同大同形状に形成され、側面部２６と側面部２８とは同大同形状に形成されている。
【００２２】
フラップ部１６、１８、２２、２４は、略台形形状を呈し、フラップ部１６、２２と側面部２６の境界は切込み線により形成され、フラップ部１８、２４と側面部２８の境界は切込み線により形成されている。フラップ部１６とフラップ部１８とは互いに線対象に形成され、フラップ部２２とフラップ部２４とは互いに線対象に形成され、また、フラップ部１６とフラップ部２２とは互いに線対象に形成され、フラップ部１８とフラップ部２４とは互いに線対象に形成されている。フラップ部１６、２２は側面部２６の内側の面に接着され、フラップ部１８、２４は側面部２８の内側の面に接着されている。
【００２３】
また、青果受け部３０は、シート状に形成された展開状態のブランクの両端を係合することにより略筒状に形成したものであり、上面部３０Ａと、上面部３０Ａ以外の部分である支持部３０Ｂとを有している。青果受け部３０は、本体部１０内に配置される。
【００２４】
上面部３０Ａには、複数の切込み４０ａ〜４０ｓからなる切込み群４０が形成され、切込み４０ａ〜４０ｓは、青果受け部３０の展開状態における長手方向に平行に形成されている。また、支持部３０Ｂは、上面部３０Ａを支持するものである。なお、青果受け部３０を構成する片面段ボールの中芯の段の方向は、図６に示すように、長手方向となっている。
【００２５】
青果受け部３０の詳細についてその展開図である図６を使用して説明すると、青果受け部３０の外形は、長方形状における長手方向（Ｙ１−Ｙ２方向）の両端に円弧状の切欠部３２ａ、３２ｂを形成し、長手方向の一方の端部近くの側部に三角形状の切欠部３４ａを設けるとともに、長手方向の他方の端部近くの側部に三角形状の切欠部３４ｂを設けた形状となっている。切欠部３４ａは、長手方向と直角の方向（Ｘ１−Ｘ２方向）の辺部３４ａ−１と辺部３４ａ−１に対して鋭角に傾斜した辺部３４ａ−２により形成されている。切欠部３４ｂは、長手方向と直角の方向の辺部３４ｂ−１と辺部３４ｂ−１に対して鋭角に傾斜した辺部３４ｂ−２により形成されている。なお、切欠部３４ａと切欠部３４ｂとは、相対する辺部に設けられている。つまり、切欠部３４ａはＸ２側の辺部に設けられ、切欠部３４ｂはＸ１側の辺部に設けられている。また、切欠部３４ａの内側位置の端部には、円弧状の面取り部３８ａが形成され、切欠部３４ｂの内側位置の端部には、円弧状の面取り部３８ｂが形成されている。また、切欠部３４ａの奥側には辺部３４ａ−１の延長線状に直線状の切込み３６ａが形成され、また、切欠部３４ｂの奥側には辺部３４ｂ−１の延長線状に直線状の切込み３６ｂが形成されている。切込み３６ａは、切欠部３４ａの内側（Ｘ２側）の端部から少なくとも青果受け部３０のＸ１−Ｘ２方向の幅の半分の位置にまで形成されており、同様に、切込み３６ｂは、切欠部３４ｂの内側（Ｘ１側）の端部から少なくとも青果受け部３０のＸ１−Ｘ２方向の幅の半分の位置にまで形成されている。
【００２６】
また、切込み群４０は、青果受け部３０における長手方向の略中央位置に設けられ、切込み４０ａ〜４０ｓにより構成され、切込み４０ａ〜４０ｓにおける各切込みは互いに平行に形成され、切込み４０ａ〜４０ｓは、Ｘ１−Ｘ２方向に等間隔に配設されている。切込み４０ａ〜４０ｓにおける各切込みは、青果受け部３０における長手方向、つまり、筒状に巻回した際の巻回方向に形成されている。切込み４０ａ〜４０ｓの配設方向における中央の切込み４０ｊは、切込み４０ａ〜４０ｓの中で最も長く形成され、切込み４０ｊから外側にいくほど徐々に短くなるように形成されている。なお、複数の切込み４０ａ〜４０ｓは、線対称に形成されていて、切込み４０ｊを介して対称位置の切込みは同じ長さに形成されている。
【００２７】
以上のように切込み群４０が形成されることにより、複数の切込み４０ａ〜４０ｓにおける両側の端部（Ｙ１側の端部とＹ２側の端部）は、円弧状又は楕円弧状に配列されることになる。複数の切込み４０ａ〜４０ｓにおける隣接する切込み間には、帯状部５０ａ〜５０ｒが形成されることになり、複数の帯状部において中央位置の帯状部５０ｉ、５０ｊの長さが最も長く、端位置にいくほど帯状部の長さが短くなる。
【００２８】
青果受け部３０において切込み群４０が形成されている領域が上面部３０Ａとなり、上面部３０Ａよりも一方の端部側（Ｙ１側）が支持部構成部３０Ｂ−１となり、上面部３０Ａよりも他方の端部側（Ｙ２側）が支持部構成部３０Ｂ−１となる。この支持部構成部３０Ｂ−１と支持部構成部３０Ｂ−２とで支持部３０Ｂが構成される。
【００２９】
展開状態の青果受け部３０を組み立てるには、切欠部３４ａと切欠部３４ｂとを係合させ、切込み３６ａと切込み３６ｂとを係合させることにより筒状に形成し、切込み群４０の領域を上から下方（Ｚ１方向）に押圧することにより切込み群４０の領域が凹状に窪んだ状態となって、凹部４１が形成される。つまり、凹部４１は、帯状部５０ａ〜５０ｒにより形成されている。
【００３０】
青果受け部３０を組み立てた状態では、正面視と背面視において、青果受け部３０の上端が円弧状又は楕円弧状に凹状に形成され、また、切込み４０ａ〜４０ｓにおける隣接する切込み間に形成された帯状部は、弓状に垂れ下がった状態となっていて、中央ほど帯状部の長さが長いので、中央の帯状部５０ｉ、５０ｊが最も下方まで垂れ下がり、帯状部５０ａ、５０ｒの下端の位置は、複数の帯状部の中で最も上端位置となる。これにより、凹部４１は、略曲面状（具体的には、略楕円球面状）に形成され、凹部４１の収納空間は、縦方向にも横方向にもその断面は略円弧状となる。特に、側面視（具体的には、正面視と背面視）において、青果受け部３０の上端が円弧状又は楕円弧状に凹状に形成されるので、中央の帯状部５０ｉ、５０ｊの下端位置は、帯状部５０ａ、５０ｒの下端位置よりもかなり下方位置となり、凹部４１を深さの大きい凹部とすることができる。
【００３１】
さらに、組み立てた状態の青果受け部３０を本体部１０内に配置することにより青果用包装容器５が形成される。
【００３２】
上記構成の青果用包装容器５の使用状態について説明する。青果用包装容器５においては、青果受け部３０の切込み群４０の領域に形成された凹部４１に青果（果物や野菜類）Ｍを収納する（図８参照）。青果を凹部に収納した状態では、青果の重みで青果受け部３０が横に広がり、青果受け部３０の側面が本体部１０の側面部１４、２０に密着するので、青果受け部３０が本体部１０内に固定される。
【００３３】
青果用包装容器５によれば、青果受け部３０が片面段ボール材により形成されていて、凹部４１を含む上面部３０Ａの上面には断面略波形形状の中芯が露出しているので、この中芯がクッションの役割を果たし、青果を傷みにくくすることができる。
【００３４】
また、凹部４１は、複数の帯状部５０ａ〜５０ｒが下方に垂れ下がることにより形成されるので、被収納物が凹部４１から落下することがなく、特に、凹部４１の上端の輪郭に囲まれた面積よりも小さい面積の被収納物を収納した場合でも落下することがない。
【００３５】
また、被収納物は、凹部４１内においては複数の帯状部５０ａ〜５０ｒに万遍なく接するので、被収納部の表面に均等に圧力が掛かり、被収納物の表面の一部のみが傷むことがない。
【００３６】
また、上記のように、凹部４１の深さを大きく形成できるので、被収納物を深く収納することができ、凹部４１から脱落する危険が少ない。
【００３７】
さらに、上記特許文献２の場合と比べて、上記の効果を得るために凹部４１に別途の部材を必要としないので、製造コストを抑えることができる。
【実施例２】
【００３８】
次に、実施例２の青果用包装容器について説明する。実施例２の青果用包装容器は、実施例１と略同様の構成であるが、青果受け部の中芯の段の方向が異なる。
【００３９】
すなわち、実施例２の青果用包装容器における青果受け部３０’の展開状態は、図９に示すように構成され、青果受け部３０’を構成する片面段ボールの中芯の段の方向が、長手方向に直角方向となっている点以外は青果受け部３０と同様の構成である。青果受け部３０’は、シート状に形成された展開状態のブランクの両端を係合することにより略筒状に形成され、上面部３０Ａと、上面部３０Ａ以外の部分である支持部（支持部構成部３０Ａと支持部構成部３０Ｂにより支持部が構成される）とを有している。青果受け部３０’は、実施例１と同様の構成の本体部内に配置される。すなわち、実施例２における本体部も実施例１と同様の構成である。
【００４０】
なお、切込み群４０の領域を上から押圧することにより切込み群４０の領域が凹状に窪んだ状態となって、凹部が形成される。
【００４１】
実施例２の青果用包装容器の使用状態及びその作用・効果は実施例１と同様である。
【００４２】
なお、青果受け部３０’においては、実施例１と異なり中芯の段の方向が異なるが、青果受け部３０’が片面段ボール材により形成されていて、凹部を含む上面部の上面には断面略波形形状の中芯が露出しているので、この中芯がクッションの役割を果たし、青果を傷みにくくすることができる。
【００４３】
なお、上記各実施例においては、青果用の包装箱として説明したが、青果用に限らずに他の被収納物（特に、表面に圧力が加わると傷みやすいもの）を収納する包装箱として使用してもよい。
【図面の簡単な説明】
【００４４】
【図１】本考案の実施例１に基づく青果用包装容器を示す斜視図である。
【図２】本考案の実施例１に基づく青果用包装容器を示す分解斜視図である。
【図３】本考案の実施例１に基づく青果用包装容器の青果受け部の平面図である。
【図４】本考案の実施例１に基づく青果用包装容器の青果受け部の縦断面図であり、図３のＡ−Ａ断面図である。
【図５】本考案の実施例１に基づく青果用包装容器の本体部の展開図である。
【図６】本考案の実施例１に基づく青果用包装容器の青果受け部の展開図である。
【図７】本体部と青果受け部を構成するブランクの断面図である。
【図８】青果用包装容器の使用状態を示す斜視図である。
【図９】本考案の実施例２に基づく青果用包装容器の青果受け部の展開図である。
【符号の説明】
【００４５】
５  青果用包装容器
１０  本体部
１２  底部
１４、２０、２６、２８  側面部
３０、３０’  青果受け部
３０Ａ  上面部
３０Ｂ  支持部
３４ａ、３４ｂ  切欠部
４０  切込み群
４０ａ〜４０ｓ、３６ａ、３６ｂ  切込み
４１  凹部
５０ａ〜５０ｒ  帯状部
【図１】
0003147045.tif 000003
【図２】
0003147045.tif 000004
【図３】
0003147045.tif 000005
【図４】
0003147045.tif 000006
【図５】
0003147045.tif 000007
【図６】
0003147045.tif 000008
【図７】
0003147045.tif 000009
【図８】
0003147045.tif 000010
【図９】
0003147045.tif 000011